(57)【要約】【課題】部品点数が低減できかつ意匠性が良好にできる建具を提供すること。【解決手段】カバー体における取付部材６０に形成した排水部７０を介して凹溝部３Ｅ内の水を排水孔４７Ａに向かって流すことができるので、下枠３の室外側に排水部品（排水弁）などの別部品を設ける必要がなくなることから、部品点数を低減することができるとともに、下枠３の外観意匠性を良好にすることができる。さらに、排水部７０に設けたスリット状排水孔７３，７４によって、室外側から凹溝部３Ｅへの虫等の進入を防止することができる。【選択図】図４
2010150875.tif 000002
【特許請求の範囲】
【請求項１】
上枠、下枠、および左右の縦枠を有する窓枠と、この窓枠に支持される室内側および室外側の一対の障子とを備えた建具であって、
前記下枠は、前記室内側障子を案内する室内レール部と、前記室外側障子を案内する室外レール部と、これら室内外のレール部間にて当該下枠の長手方向に延びる凹溝部と、この凹溝部に取り付けられるカバー体とを有して構成され、
前記室外レール部の基端部には、前記凹溝部内の水を排水可能な排水孔が形成され、
前記カバー体は、前記排水孔の室内側を覆うとともに水を通過させる通水手段を有して構成され、この通水手段は、前記下枠の底面と前記排水孔よりも上側の一部とに当接して設けられている建具。
【請求項２】
前記カバー体は、前記下枠に直接取り付けられる複数の樹脂製の取付部材と、当該取付部材を介して前記下枠に取り付けられるカバー部材とを有して構成され、前記取付部材に前記通水手段が設けられている請求項１に記載の建具。
【請求項３】
前記カバー体は、前記下枠に係合されて保持される室内側および室外側の被保持部と、当該被保持部の上方に設けられるカバー部とを有して一体に形成され、前記室外側の被保持部に前記通水手段が設けられている請求項１に記載の建具。
【請求項４】
前記通水手段は、複数のスリット状排水孔を有して構成されている請求項１から請求項３のいずれかに記載の建具。
【発明の詳細な説明】
【技術分野】
【０００１】
本発明は、引違い窓等の建具に関し、詳しくは、窓枠と、この窓枠に支持される室内外一対の障子とを備えた建具に関する。
【背景技術】
【０００２】
住宅等の引違い窓において、下枠には室内外の障子をそれぞれ案内する室内レールおよび室外レールが設けられ、これら室内外のレール間の凹溝部をカバー部材で覆うとともに、凹溝部に入った水を排水弁部材を介して室外側に排水する下枠の構造が提案されている（例えば、特許文献１参照）。
【０００３】
【特許文献１】特開２００８−１１１３００号公報
【発明の開示】
【発明が解決しようとする課題】
【０００４】
しかしながら、前記特許文献１に記載されたように、下枠の室外側に複数の排水弁部材を取り付けた構造では、部品点数が多くなってしまうとともに外観意匠性が劣ってしまうという問題がある。
【０００５】
本発明の目的は、部品点数が低減できかつ意匠性が良好にできる建具を提供することにある。
【課題を解決するための手段】
【０００６】
本発明の建具は、上枠、下枠、および左右の縦枠を有する窓枠と、この窓枠に支持される室内側および室外側の一対の障子とを備えた建具であって、前記下枠は、前記室内側障子を案内する室内レール部と、前記室外側障子を案内する室外レール部と、これら室内外のレール部間にて当該下枠の長手方向に延びる凹溝部と、この凹溝部に取り付けられるカバー体とを有して構成され、前記室外レール部の基端部には、前記凹溝部内の水を排水可能な排水孔が形成され、前記カバー体は、前記排水孔の室内側を覆うとともに水を通過させる通水手段を有して構成され、この通水手段は、前記下枠の底面と前記排水孔よりも上側の一部とに当接して設けられていることを特徴とする。
【０００７】
以上の本発明によれば、カバー体に通水手段を設け、この通水手段を介して室外レール部の基端部の排水孔に向かって通水させることで、凹溝部内の水を室外空間に排水することができる。従って、下枠の室外側に排水弁部材のような別部品を設ける必要がなくなることから、部品点数を低減することができるとともに、下枠の外観意匠性を良好にすることができる。
【０００８】
この際、本発明の建具では、前記カバー体は、前記下枠に直接取り付けられる複数の樹脂製の取付部材と、当該取付部材を介して前記下枠に取り付けられるカバー部材とを有して構成され、前記取付部材に前記通水手段が設けられていることが好ましい。
また、本発明の建具では、前記カバー体は、前記下枠に係合されて保持される室内側および室外側の被保持部と、当該被保持部の上方に設けられるカバー部とを有して一体に形成され、前記室外側の被保持部に前記通水手段が設けられていてもよい。
また、本発明の建具では、前記通水手段は、複数のスリット状排水孔を有して構成されていることが好ましい。
【発明を実施するための最良の形態】
【０００９】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１０】
〔第１実施形態〕
図１は、本発明の実施形態に係る建具である引違い窓１を示す縦断面図である。
引違い窓１は、戸建て住宅等の建物の外壁開口部に設けられて建物の室内空間と室外空間とを仕切るものであって、上枠２、下枠３、および左右の縦枠４を四周枠組みした窓枠５と、この窓枠５の内部に開閉自在に支持された室内外一組の障子６，７および網戸８とを備えて構成されている。室内外の障子６，７（室内側障子６および室外側障子７）は、それぞれの下框１２に設けられた戸車１４が下枠３のレール部３８，４８（後述）に案内されるとともに、縦框の上端に設けられた摺動片１５が上枠２の上レール２Ａ，２Ｂに案内されることで、左右に開閉可能に構成されている。
【００１１】
次に、引違い窓１における下枠３の構造を図２〜図４に基づいて詳しく説明する。ここで、図２は、下枠３を示す平面図であり、図３は、下枠３を拡大して示す縦断面図である。図４は、下枠３の要部を拡大して示す斜視図である。
下枠３は、それぞれアルミ押出形材製の室内部材３Ａおよび室外部材３Ｂと、これらを連結する樹脂製の断熱部材３Ｃとを備えて構成された断熱仕様の枠材である。また、詳しい説明を省略するが、上枠２および縦枠４も断熱仕様とされ、つまり引違い窓１における窓枠５は、断熱窓枠として構成されている。
【００１２】
室内部材３Ａは、室内側障子６の戸車１４を案内する室内レール部３８を有して形成されている。また、室外部材３Ｂは、図示しない建物躯体に固定される固定片部４１と、この固定片部４１の上部に設けられて断熱部材３Ｃに係合する連結部４２と、連結部４２から室外側に延びるとともに下方に傾斜した傾斜上面部４３と、この傾斜上面部４３の室外側に連続して略水平に室外側に延びる水平上面部４４と、この水平上面部４４の室外側から下方に延びる室外側面部４５と、固定片部４１から室外側に延びて室外側面部４５と交差する底面部４６と、水平上面部４４の室外端近傍から上方に立ち上がる立上片部４７と、この立上片部４７の上端からさらに上方に延びて室外側障子７の戸車１４を案内する室外レール部４８と、立上片部４７の上端から室外側に延びて上方に折れ曲がり網戸８の戸車を案内する網戸レール部４９とを有して形成されている。
【００１３】
また、下枠３には、室内部材３Ａの室内レール部３８と、断熱部材３Ｃの上面と、室外部材３Ｂの傾斜上面部４３、水平上面部４４、立上片部４７および室外レール部４８とによって、上方に開口した凹溝部３Ｅが形成されている。この凹溝部３Ｅは、室内レール部３８と室外レール部４８との間において下枠３の長手方向に沿って延びて形成されている。そして、図２に示すように、下枠３の長手方向略中央であり室内外の障子６，７の召合せ部下方位置の凹溝部３Ｅには、樹脂製の風止板３Ｆが設けられている。この風止板３Ｆは、凹溝部３Ｅを左右に仕切るものであって、室内外の障子６，７を閉じた状態で、それらの召合せ框（内外の縦框）の下端部に当接することで、凹溝部３Ｅを介して室内側に外気や雨水が浸入するのを防止し、気密性や水密性が確保できるように構成されている。
【００１４】
以上のような下枠３の凹溝部３Ｅにおいて、風止板３Ｆの左右には、凹溝部３Ｅの底面（断熱部材３Ｃの上面、室外部材３Ｂの傾斜上面部４３および水平上面部４４）を覆う樹脂製のカバー部材３Ｇ（図１参照）と、カバー体３Ｈ（図３参照）とが設けられている。樹脂製のカバー部材３Ｇは、図２中、風止板３Ｆの左側に設けられ、図１に示すように、下枠３の室内レール部３８の基端部と立上片部４７の基端部との間に係合されて取り付けられている。また、樹脂製のカバー部材３Ｇに対応した下枠３の室外部材３Ｂには、下枠３の長手方向に沿った適宜な複数位置に排水部品（排水弁）３Ｊが取り付けられており、立上片部４７に設けられた排水孔４７Ａを介して凹溝部３Ｅに入った雨水等を室外側に排出できるとともに、室外側から凹溝部３Ｅへの虫等の進入が防止できるようになっている。
【００１５】
一方、カバー体３Ｈは、図３に示すように、アルミ押出形材製（金属製）のカバー部材５０と、その長手方向の両端部側にてカバー部材５０を下枠３に取り付ける樹脂製の取付部材６０とを有して構成されている。ここで、室内部材３Ａにおける室内レール部３８の基端部室外側には、室内側に凹んだ係合部３８Ａが形成され、室外部材３Ｂにおける立上片部４７と室外レール部４８との交差部分には、室外側に凹んだ係合部４８Ａが形成され、これらの係合部３８Ａ，４８Ａに取付部材６０が係合されるようになっている。
【００１６】
カバー部材５０は、凹溝部３Ｅの底面を覆う長尺板状の上面部５１と、この上面部５１から下方に突出して取付部材６０に保持される室内外一対の被保持部５２，５３とを有して形成されている。上面部５１は、室内側から室外側に向かって下がり勾配を有して設けられ、その室外側端縁が下方に曲げ下げられており、上面部５１に降った雨水等が室外部材３Ｂの水平上面部４４に落下するように構成されている。また、室内側の被保持部５２は、その下端部が室内側に折り曲げられて略Ｌ字形に形成され、室外側の被保持部５３は、その下端部が室外側に折り曲げられて略Ｌ字形に形成され、これらの被保持部５２，５３は、それぞれ取付部材６０の保持されるようになっている。
【００１７】
次に、取付部材６０は、図４にも示すように、ピース状の樹脂製一体成形部材であって、見込み方向中間部に設けられてカバー部材５０の上面部５１の下面に対向する第１上面部６１と、この第１上面部６１の室内側に沿って下方に凹んだ第１溝部６２と、この第１溝部６２の室内側にて第１上面部６１と略フラットに設けられる第２上面部６３と、この第２上面部６３の室内側から下方に延びるとともに室内側に屈曲した第１被係合部６４とを有して形成されている。さらに、取付部材６０は、第１上面部６１の室外側に沿って下方に凹んだ第２溝部６５と、この第２溝部６５の室外側側面を構成する突片部６６と、この突片部６６の下部から室外側に連続して設けられる略三角筒状の通水手段としての排水部７０とを有して形成されている。そして、第１溝部６２の上部室内側には、第２上面部６３の室外側に連続する第１保持部６８が形成され、第２溝部６５の上部室外側には、突片部６６の上端部から室内側に突出した第２保持部６９が形成され、これら第１および第２の保持部６８，６９によってカバー部材５０の被保持部５２，５３を保持できるようになっている。
【００１８】
また、排水部７０は、突片部６６の基端部から室外側上方に傾斜した排水傾斜面部７１と、略三角筒状の左右両端部に設けられる排水側面部７２とを有して形成され、室外部材３Ｂの立上片部４７および水平上面部４４に当接するとともに、立上片部４７に形成された排水孔４７Ａの室内側を覆う位置に設けられている。そして、排水傾斜面部７１の上端縁によって下枠３の係合部４８Ａに当接して係合される第２係合部６７が構成されるとともに、排水傾斜面部７１および排水側面部７２には、それぞれ複数のスリット状排水孔７３，７４が形成されている。これらのスリット状排水孔７３，７４の開口幅寸法は、凹溝部３Ｅ内に入った雨水等を通過させて排水孔４７Ａを介して室外側に排水可能で、かつ室外側から排水孔４７Ａを介して入った虫等が当該スリット状排水孔７３，７４から凹溝部３Ｅの内部側に進入しない程度の寸法に設定されている。
【００１９】
以上の取付部材６０は、第１被係合部６４が下枠３の係合部３８Ａに係合され、第２係合片部６７が下枠３の係合部４８Ａに係合されることで下枠３に取り付けられており、この取付状態において、下枠３の係合部３８Ａと立上片部４７との間に押圧状態で挟持されることで、取付部材６０ががたつくことなく下枠３に取り付けられるようになっている。そして、この取付状態において、第１溝部６２の下面６２Ａおよび室外側側面の下端部６２Ｂと、第２溝部６５の下面６５Ａとが室外部材３Ｂの傾斜上面部４３に当接し、さらに突片部６６の基端部および排水部７０が水平上面部４４に当接するようになっている。すなわち、排水部（通水手段）７０は、その下面が下枠３の底面としての水平上面部４４に当接し、その先端部である第２係合部６７が下枠３における排水孔４７Ａよりも上側の一部としての係合部４８Ａに当接するように構成されている。
【００２０】
カバー部材５０は、図３に示すように、室内側の被保持部５２を第１溝部６２に挿入して先端を第１保持部６８に係合させるとともに、室外側の被保持部５３を第２溝部６５に挿入して先端を第２保持部６９に係合させることで、取付部材６０に保持されるようになっている。また、上面部５１の室外側端縁を押して上面部５１を上方凸に撓ませ、室外側の被保持部５３を第２保持部６９から外してから、室内側の被保持部５２を第１保持部６８から外すことで、カバー部材５０が取付部材６０から取り外せるようになっている。また、カバー部材５０を取り付けた状態において、その上面部５１の室内側端縁と室内レール部３８とは所定距離だけ離れ、それらの間に隙間が形成され、上面部５１の室外側端縁と室外レール部４８とは所定距離だけ離れ、それらの間に隙間が形成されるようになっている。従って、カバー部材５０が夏季の日射で加熱されたり、冬季に冷却されたりしても、その熱が下枠３に伝達されず、下枠３の断熱性能が阻害されないようになっている。
【００２１】
以上の実施形態によれば、カバー体３Ｈにおける取付部材６０に排水部７０が形成され、この排水部７０を介して凹溝部３Ｅ内の水を排水孔４７Ａに向かって流すことができるので、カバー体３Ｈに対応した下枠３の室外側に排水部品（排水弁）３Ｊのような別部品を設ける必要がなくなることから、部品点数を低減することができるとともに、下枠３の外観意匠性を良好にすることができる。さらに、排水部７０に設けたスリット状排水孔７３，７４によって、室外側から凹溝部３Ｅへの虫等の進入を防止することができる。また、カバー部材５０を取付部材６０から取り外すことで、取付部材６０の排水部７０を下枠３の上方からメンテナンスすることができ、そのメンテナンス性を向上させることができる。さらに、取付部材６０を下枠３から取り外せば、排水部７０のメンテナンス性をより一層向上させることができる。
【００２２】
〔第２実施形態〕
次に、図５、図６に基づいて本発明の第２実施形態を説明する。
図５は、第２実施形態の下枠３を拡大して示す縦断面図である。図６は、下枠３の要部を拡大して示す斜視図である。
本実施形態では、カバー体３Ｈに代えてカバー部材３Ｋを用いる点が前記第１実施形態と相違するものの、窓枠５や障子６，７の構成は、前記第１実施形態と略同様である。以下、相違点を詳しく説明する。
【００２３】
カバー部材３Ｋは、下枠３の長手方向に沿った長尺の樹脂製部材であって、室外部材３Ｂの傾斜上面部４３の上面に沿って室外側に下がり傾斜を有する第１上面部８１と、この第１上面部８１の室内側に連続して室外部材３Ｂの連結部４２および断熱部材３Ｃの上面に沿って略水平に設けられる第２上面部８２と、第１上面部８１の室外側に連続して室外側に向かって上方に傾斜した傾斜立上片部８３とを有して一体に形成されている。このカバー部材３Ｋにおいて、第１および第２の上面部８１，８２によって凹溝部３Ｅの底面を覆うカバー部が構成されている。そして、第２上面部８２の室内側端縁には、室内部材３Ａの係合部３８Ａに係合されて下枠３に保持される室内側の被保持部８４が形成されるとともに、室外部材３Ｂの係合部４８Ａに係合されて下枠３に保持される室外側の被保持部は、傾斜立上片部８３によって構成され、この傾斜立上片部８３の室外側先端部が係合部４８Ａに当接するようになっている。また、第１上面部８１の室外側端縁および傾斜立上片部８３の基端部には、室外部材３Ｂの水平上面部４４に当接する当接面部８５が形成され、この当接面部８５の室外側端縁は、傾斜立上片部８３の基端部よりも室外側に突出して設けられている。すなわち、傾斜立上片部（通水手段）８３は、その基端部である当接面部８５が下枠３の底面としての水平上面部４４に当接し、その先端部が下枠３における排水孔４７Ａよりも上側の一部としての係合部４８Ａに当接するように構成されている。
【００２４】
そして、カバー部材３Ｋにおいて、傾斜立上片部８３は、室外部材３Ｂの立上片部４７の室内側を覆って設けられており、この傾斜立上片部８３には、その長手方向の適宜な位置に複数のスリット状排水孔８６が形成されている。すなわち、傾斜立上片部８３によって通水手段が構成され、カバー部材３Ｋの第１および第２の上面部８１，８２上の水がスリット状排水孔８６を介して傾斜立上片部８３よりも室外側に流れ、水平上面部４４に落下してから排水孔４７Ａを介して室外側に排水されるようになっている。また、スリット状排水孔８６の開口幅寸法は、室外側から排水孔４７Ａを介して入った虫等が当該スリット状排水孔８６から凹溝部３Ｅの内部側に進入しない程度の寸法に設定されている。さらに、複数のスリット状排水孔８６は、排水孔４７Ａに対して左右にずれた位置に設けられ、従って、排水孔４７Ａから入った外光がスリット状排水孔８６を通って室内側に透過しないように構成されている。
【００２５】
以上の第２実施形態によれば、前記第１実施形態と略同様の作用効果を奏することができ、すなわち部品点数が低減できかつ意匠性が良好にできる。
【００２６】
なお、本発明は、前記実施形態に限定されるものではなく、本発明の目的が達成できる以下の構成を備えていればよい。
（１）本発明の建具は、上枠、下枠、および左右の縦枠を有する窓枠と、この窓枠に支持される室内側および室外側の一対の障子とを備えた建具であって、前記下枠は、前記室内側障子を案内する室内レール部と、前記室外側障子を案内する室外レール部と、これら室内外のレール部間にて当該下枠の長手方向に延びる凹溝部と、この凹溝部に取り付けられるカバー体とを有して構成され、前記室外レール部の基端部には、前記凹溝部内の水を排水可能な排水孔が形成され、前記カバー体は、前記排水孔の室内側を覆うとともに水を通過させる通水手段を有して構成され、この通水手段は、前記下枠の底面と前記排水孔よりも上側の一部とに当接して設けられていればよい。
【００２７】
以上の本発明によれば、カバー体に通水手段を設け、この通水手段を介して室外レール部の基端部の排水孔に向かって通水させることで、凹溝部内の水を室外空間に排水することができる。従って、下枠の室外側に排水弁部材のような別部品を設ける必要がなくなることから、部品点数を低減することができるとともに、下枠の外観意匠性を良好にすることができる。
【００２８】
（２）本発明の建具では、前記カバー体は、前記下枠に直接取り付けられる複数の樹脂製の取付部材と、当該取付部材を介して前記下枠に取り付けられるカバー部材とを有して構成され、前記取付部材に前記通水手段が設けられていることが好ましい。
このような構成によれば、通水手段を取付部材に設け、取付部材にカバー部材を保持させるようにすることで、取付部材からカバー部材を外すだけで取付部材の通水手段をメンテナンスすることができる。
【００２９】
（３）本発明の建具では、前記カバー体は、前記下枠に係合されて保持される室内側および室外側の被保持部と、当該被保持部の上方に設けられるカバー部とを有して一体に形成され、前記室外側の被保持部に前記通水手段が設けられていてもよい。
このような構成によれば、一体のカバー体における室外側の被保持部に通水手段を設けたことで、部品点数をさらに低減することができる。
【００３０】
（４）本発明の建具では、前記通水手段は、複数のスリット状排水孔を有して構成されていることが好ましい。
このような構成によれば、複数のスリット状排水孔によって通水手段を構成することで、スリット状排水孔の開口幅を小さくしても通水性が確保できるとともに、開口幅を小さくすることで、室外側から虫等が凹溝部に進入することを防止することができ、カバー体の通水手段に防虫機能を付加することができる。
【００３１】
また、以下に示すような変形等も本発明に含まれる。
例えば、前記実施形態においては、室内外一対の障子６，７を有する引違い窓１を例示して説明したが、本発明の建具は、室内外の障子６，７のうちのいずれか一方を窓枠５に移動不能に固定した片引き窓であってもよい。
また、前記実施形態では、閉じた状態の室外側障子７の室内側に位置する凹溝部３Ｅに設けるカバー部材３Ｇを樹脂製とし、このカバー部材３Ｇを直接下枠３に取り付ける構成としたが、前記第１実施形態のカバー体３Ｈを用いてもよいし、前記第２実施形態のカバー部材３Ｋを用いてもよい。
【００３２】
また、前記第１実施形態では、カバー体３Ｈのカバー部材５０を金属製とし、取付部材６０を樹脂製としたが、これに限らず、カバー部材５０が樹脂製であってもよく、取付部材６０が金属製であってもよい。さらに、前記第２実施形態では、カバー部材３Ｋを樹脂製としたが、これに限らず、カバー部材３Ｋが金属製であってもよい。
また、前記実施形態では、窓枠５を断熱仕様としたが、窓枠５を構成する上枠２、下枠３および縦枠４がそれぞれアルミ製の単材から構成された通常仕様の窓枠であってもよい。
【００３３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３４】
【図１】本発明の実施形態に係る建具を示す縦断面図である。
【図２】前記建具の第１実施形態に係る下枠を示す平面図である。
【図３】前記下枠を拡大して示す縦断面図である。
【図４】前記下枠の要部を拡大して示す斜視図である。
【図５】前記建具の第２実施形態に係る下枠を示す縦断面図である。
【図６】前記下枠の要部を拡大して示す斜視図である。
【符号の説明】
【００３５】
２…上枠、３…下枠、３Ｅ…凹溝部、３Ｈ…カバー体、３Ｋ…カバー部材、４…縦枠、５…窓枠、６…室内側障子、７…室外側障子、３８…室内レール部、４７Ａ…排水孔、４８…室外レール部、５０…カバー部材、６０…取付部材、７０…排水部（通水手段）、７３，７４，８６…スリット状排水孔、８３…傾斜立上片部（被保持部、通水手段）、８４…被保持部。
【図１】
2010150875.tif 000003
【図２】
2010150875.tif 000004
【図３】
2010150875.tif 000005
【図４】
2010150875.tif 000006
【図５】
2010150875.tif 000007
【図６】
2010150875.tif 000008